(57)【要約】【課題】煙が充満した状況での視認性が良く、他の照明光や広告灯の光などから区別可能な誘導灯を提案すること。【解決手段】誘導灯１は、光源ランプ７としてフラッシュランプ１１と３個の白色発光ダイオードランプ２１〜２３を備えている。フラッシュランプ１１の前面カバー１４には５００ｎｍ以下の可視光成分をカットする光学フィルタ１４ａが配置され、白色発光ダイオードランプのランプレンズ２１ｂ〜２３ｂにも同様な光学コーティングが施されている。煙が充満した状況では、淡黄色などの色光の視認性が良く、他の照明光との識別も容易である。フラッシュランプ１１は高輝度のストロボ発光を繰り返し、発光していない期間において白色発光ダイオードランプ２１〜２３が発光する。よって、視認性の良い誘導灯を実現できる。【選択図】      図１
2004303602.tif 000002
【特許請求の範囲】
【請求項１】
光源ランプと、
前記光源ランプに駆動電力を供給するための電池電源と、
前記光源ランプから射出される可視光成分のうち、波長の短い側から所定波長領域の光成分を除去する除去手段とを有している誘導灯。
【請求項２】
請求項１において、
前記除去手段は、前記光源ランプの前面に配置されたフィルタ、あるいは前記光源ランプの発光管に形成された被膜であることを特徴とする誘導灯。
【請求項３】
請求項１または２において、
前記除去手段は、５００ｎｍ以下の光成分を除去するものであることを特徴とする誘導灯。
【請求項４】
請求項１または２において、
前記除去手段を介して射出される光は淡黄色、黄色あるいはオレンジ色であることを特徴とする誘導灯。
【請求項５】
請求項１ないし４のうちのいずれかの項において、
前記光源ランプはフラッシュランプを含むことを特徴とする誘導灯。
【請求項６】
請求項１ないし４のうちのいずれかの項において、
前記光源ランプはフラッシュランプおよび白色発光ダイオードランプを備えていることを特徴とする誘導灯。
【請求項７】
請求項６において、
前記フラッシュランプの射出光における所定方向の発散角が所定角度以下であることを特徴とする誘導灯。
【請求項８】
請求項６または７において、
前記白色発光ダイオードランプの射出光の発散角は３０度以下であることを特徴とする誘導灯。
【請求項９】
請求項６、７または８において、
前記光源ランプは単一のフラッシュランプと、このフラッシュランプの両側に配置された少なくとも１個ずつの白色発光ダイオードランプとを備えていることを特徴とする誘導灯。
【請求項１０】
請求項９において、
前記フラッシュランプからの射出光の主光軸に対して、左右の前記白色発光ダイオードランプからの射出光の主光軸が左および右側に所定角度傾斜した方向となっていることを特徴とする誘導灯。
【請求項１１】
請求項６ないし１０のうちのいずれかの項において、
前記光源ランプの発光制御回路を有し、
この発光制御回路は、前記フラッシュランプと前記白色発光ダイオードランプとを交互に発光させることを特徴とする誘導灯。
【請求項１２】
請求項１ないし１１のうちのいずれかの項において、
前記電池電源は、太陽電池、一次電池、二次電池のうち、少なくとも一つを含むことを特徴とする誘導灯。
【請求項１３】
請求項１２において、さらに、
照度検出手段と、この照度検出手段により検出された照度に基づき前記光源ランプのオンオフを切り替えるスイッチング手段とを有していることを特徴とする誘導灯。
【請求項１４】
請求項１３において、
前記スイッチング手段は、検出された照度が予め定められている照度レベル以下になると前記光源ランプをオンすることを特徴とする誘導灯。
【請求項１５】
請求項１３または１４において、
前記電池電源は一次電池であり、
当該一次電池から、前記照度検出手段および前記スイッチング手段に給電を行うことを特徴とする誘導灯。
【請求項１６】
請求項１３または１４において、
前記電池電源は、太陽電池と、この太陽電池によって充電される二次電池とを備えており、
前記二次電池から、前記照度検出手段および前記スイッチング手段に給電を行うことを特徴とする誘導灯。
【請求項１７】
請求項１２において、
前記電池電源は一次電池であり、
さらに、前記照度検出手段および前記スイッチング手段に給電を行う太陽電池を有していることを特徴とする誘導灯。
【請求項１８】
請求項１２において、
前記電池電源は一次電池であり、
さらに、前記照度検出手段および前記スイッチングに給電を行う二次電池と、この二次電池を充電する太陽電池とを有していることを特徴とする誘導灯。
【請求項１９】
避難口と、この避難口が設けられている壁面に設置されている誘導灯とを有する避難誘導システムにおいて、
前記誘導灯は請求項１ないし１８のうちのいずれかに記載のものであり、
当該誘導灯は前記壁面における２ｍ以内の高さ位置に設置されていることを特徴とする避難誘導システム。
【請求項２０】
請求項１９において、
複数個の前記誘導灯が前記壁面に沿って一定間隔で設置されていることを特徴とする避難誘導システム。
【発明の詳細な説明】
【０００１】
【発明の属する技術分野】
本発明は、道路のトンネル内、地下道などにおける火災などの非常時に、人を避難路に沿って安全に避難口まで案内するために、壁面等に設置される誘導灯に関するものである。
【０００２】
【従来の技術】
地下街や地下鉄通路内に設置されている誘導灯は、火災発生などによって煙が充満して視界が悪くなった場合に、人を避難口などの安全な場所に誘導するために設置されている。誘導灯の電源としては商用交流電源が用いられている。また、商用交流電源が遮断された非常時に蓄電池に切り替えて誘導灯を点灯するシステムも知られている。例えば次の特許文献１にかかる構成を備えた防災用照明装置が開示されている。
【０００３】
なお、本願人は、商用交流電源が埋設されていない場所、特に道路のトンネル内に設置するのに適した誘導灯システムを提案している（特許文献２）。
【０００４】
【特許文献１】
特開２００１−３３８７８４号公報
【特許文献２】
特願２００２−３３７４６３号
【０００５】
【発明が解決しようとする課題】
ここで、地下街や地下鉄通路などにおいて火災などにより煙が発生した場合の避難状況としては、誘導灯と共に照明灯や広告灯なども点灯している場合と、電力供給が遮断されて誘導灯のみが点灯している場合が想定される。また、道路のトンネル内などの災害発生時には、自動車のヘッドライトが点灯したままの状態の中での避難も想定される。
【０００６】
照明灯や広告灯が点灯している状況や、自動車のヘッドライトが点灯したままの状況での避難においては、誘導灯が点灯しても、誘導灯の光とそれ以外の光源の光とを区別できず、誘導灯による誘導が適切にできない惧れがある。すなわち、地下街やトンネルなどの閉鎖空間内に煙が充満すると、照明灯、広告灯、ヘッドライトなどからの光は煙によって散乱して白色の散乱光として避難者に認識される。誘導灯も同様に白色の散乱光として認識される。このため、いずれの光が誘導灯であるかを区別できず、避難口への避難を迅速に行うことができない惧れがある。
【０００７】
また、誘導灯のみが点灯している状況においても、誘導灯からの光が充満した煙によって散乱してしまうので、視認しづらいという問題点がある。視認性を高めるためには、誘導灯のランプのワット数を上げて発光輝度を高めればよい。しかし、このようにすると、消費電力が増加するので、例えば、電池電源により誘導灯を点灯する場合には不向きである。
【０００８】
本発明の課題は、このような点に鑑みて、煙が充満した状況においても視認性の高い誘導灯を提案することにある。
【０００９】
また、本発明の課題は、煙が充満した状況において他の光源が点灯状態であっても容易に視認可能な誘導灯を提案することにある。
【００１０】
さらに、本発明の課題は、消費電力が少ない、視認性の高い誘導灯を提案することにある。
【００１１】
さらにまた、本発明の課題は、各方向からの視認性の高い誘導灯を提案することにある。
【００１２】
【課題を解決するための手段】
上記の課題を解決するために、本発明の誘導灯は、光源ランプと、前記光源ランプに駆動電力を供給するための電池電源と、前記光源ランプから射出される可視光成分のうち、波長の短い側から所定波長領域の光成分を除去する除去手段とを有していることを特徴としている。
【００１３】
前記除去手段として、前記光源ランプの前面に配置されたフィルタ、あるいは前記光源ランプの発光管に形成された被膜を用いることができる。また、前記除去手段は５００ｎｍ以下の光成分を除去するものとすればよい。
【００１４】
本発明の誘導灯では、除去手段を介して可視光領域における低波長領域部分の成分が除去された後に光成分が射出される。従って、誘導灯の光は淡黄色、黄色あるいはオレンジ色となる。この結果、煙が充満している場合における視認性を白色光の場合に比べて改善できる。すなわち、除去手段によって発光輝度自体は低下するが、発光輝度の高い白色光に比べて視認性に優れていることが確認された。
【００１５】
また、誘導灯以外の照明灯、広告灯も点灯している場合には、これらの光は煙の粒子によって乱反射して白色光として認識される。これに対して本発明の誘導灯の光は淡い色付きの光として認識される。よって、誘導灯の光とそれ以外の光とを区別できるので、誘導灯に従って安全な場所への避難を迅速に行うことが可能になる。
【００１６】
次に、本発明の誘導灯は、光源ランプとしてフラッシュランプを用いていることを特徴としている。フラッシュランプは他の光源とは異なり、所定間隔でストロボ発光するので、他の光源から容易に区別できる。また、遠くからの視認性も高いとう利点がある。
【００１７】
ここで、本発明の誘導灯の光源ランプは、フラッシュランプと白色発光ダイオードランプの組み合わせとすることが望ましい。このようにすれば、フラッシュランプは所定間隔で高輝度の閃光を発生し、白色発光ダイオードランプはフラッシュランプが消えている期間において誘導灯の位置を表示できる。よって、全体として、高輝度で視認性に優れた誘導灯を実現できる。
【００１８】
この場合、前記フラッシュランプの射出光における所定方向の発散角を所定角度以下にすることが望ましい。同様に、前記発光ダイオードランプの射出光の発散角を３０度以下にすることが望ましい。このように射出光の指向性を高めることにより視認性を改善できる。
【００１９】
ここで、誘導灯の各方向からの視認性を改善するためには、前記光源ランプは単一のフラッシュランプと、このフラッシュランプの両側に配置された少なくとも１個ずつの発光ダイオードランプとを備えていることが望ましい。
【００２０】
この場合、中央に位置している前記フラッシュランプからの射出光の主光軸に対して、左右の前記発光ダイオードランプからの射出光の光軸の方向を左右に所定角度傾斜した方向とすればよい。
【００２１】
次に、前記フラッシュランプと前記白色発光ダイオードランプは、発光制御回路によって交互に発光させることが望ましい。このようにすれば、常時点灯させる場合に比べて、誘導灯の視認性を改善できると共に、省電力化を図ることができるので電池電源を備えた誘導灯にとって有利である。
【００２２】
本発明の誘導灯における前記電池電源としては、太陽電池、一次電池、二次電池のうち、少なくとも一つを含むものとすればよい。本発明の誘導灯は、商用交流電源が敷設されていない場所においても設置でき、設置場所に制約がない。また、地震、火災などにより商用交流電源が遮断された場合、即ち、誘導が必要な時に確実に点灯させることができる。
【００２３】
また、本発明の誘導灯において非常時にのみ光源ランプをオンに切り替え、通常状態ではオフ状態に保持することが、節電のために望ましい。このように光源ランプをオンオフ制御するためには、照度検出手段と、この照度検出手段により検出された照度に基づき前記光源ランプのオンオフを切り替えるスイッチング手段とを備えた構成とすればよい。火災などが発生して照明光が消えて周囲が暗くなると、照度検出手段によってそれを検出して、スイッチング手段によって光源ランプをオフからオンに切り替えることができる。
【００２４】
ここで、前記スイッチング手段を、検出された照度が予め定められている照度レベル以下になると前記光源ランプをオンに切り替えるように設定しておけばよい。
【００２５】
次に、本発明の誘導灯において、前記電池電源を一次電池とし、当該一次電池からの給電により、前記光源ランプと共に、前記照度検出手段および前記スイッチング手段を駆動するように構成することができる。
【００２６】
この代わりに、前記電池電源を、太陽電池と、この太陽電池によって充電される二次電池とを備えたものとし、前記二次電池からの給電により、前記光源ランプと共に、前記照度検出手段および前記スイッチング手段を駆動するように構成することもできる。
【００２７】
あるいは、前記電池電源を一次電池とし、前記照度検出手段および前記切り替え手段を駆動するために別個の電池電源、例えば太陽電池を備えた構成とすることもできる。ここで、これら照度検出手段およびスイッチング手段の電源として、太陽電池によって充電される二次電池を備えた構成のものを用いることもできる。
【００２８】
一方、本発明は、避難口と、この避難口が設けられている壁面に設置されている誘導灯とを有する避難誘導システムにおいて、前記誘導灯として上記構成のものを採用し、当該誘導灯を前記壁面における２ｍ以内の高さ位置に設置したことを特徴としている。煙が充満した状況での避難時には、前かがみの姿勢、あるいは床を這った姿勢での移動が一般的であり、この場合における避難者による誘導灯の視認性を改善するためには、避難者の視野内の高さ位置に誘導灯が設置されている必要がある。従って、避難者の背丈よりも低い位置、最大でも２ｍ以下の高さ位置に誘導灯を設置しておけば、避難者による誘導灯の視認性を良好に保持できる。
【００２９】
また、複数個の前記誘導灯が前記壁面に沿って一定間隔で設置しておくことが望ましい。誘導灯の視認性が良好な範囲毎に誘導灯を設置することにより、避難者を迅速に避難口に導くことができる。
【００３０】
【発明の実施の形態】
以下に、図面を参照して、本発明を適用した誘導灯の実施の形態を説明する。
【００３１】
図１は本実施の形態に係る誘導灯を一部切り欠いた状態で示す斜視図であり、図２は誘導灯のカバーを取り外した状態での正面図、誘導灯の縦断面図、および誘導灯の概略横断面図である。本実施の形態に係る誘導灯１は、地下街、トンネルなどの壁面に設置されるものであり、取付板２と、この取付板２の表面２ａに取り付けたプラスチック製のカバー３と、取付板表面２ａに取り付けられカバー３によって覆われている光源ランプユニット４とを有している。
【００３２】
光源ランプユニット４は、鋼板などの板材から組み立てられているユニットケース５を備えており、このユニットケース５の上端部分には３枚のソーラーパネル６が取り付けられている。また、ユニットケース５の前面の下側部分には光源ランプ７が取り付けられており、ユニットケース５の内部には二次電池８と、制御基板９が配置されている。
【００３３】
本例のカバー３は可視光に対して透明であり、地下街やトンネル内に設置されている照明光や広告灯の光がカバー３を透過して内部のソーラーパネル６の受光面に到達可能である。また、光源ランプユニット４からの光がカバー３を透過して外部に放出可能である。カバー３は水平な底板部分３１と、この底板部分３１の前縁および左右の縁から上方に垂直に延びている垂直前板部分３２および左右の垂直側板部分３３、３４と、垂直前板部分３２の上端から４５度よりも急な傾斜角度で後退している傾斜前板部分３５とを備えている。底板部分３１、左右の垂直側板部分３３、３４、および傾斜前板部分３５の後端縁は、Ｏリングなどのシール材１０を介して取付板表面２ａに液密状態で固定されている。カバー３を取付板表面２ａに固定するために、カバー３の左右の垂直側板部分３３、３４には側方に突出しているフランジ３６、３７が形成され、これらに固定ねじ（図示せず）をねじ込むためのタップ孔３６ａ、３７ａが形成されている。
【００３４】
光源ランプユニット４の上端部分に取り付けられている３枚のソーラーパネル６は、僅かに横長の長方形をしており、前側が下となるようにほぼ４５度の傾斜角度で設置されている。ソーラーパネル６はカバー３を介して、天井などに設置されている照明灯や広告灯などの光を受けて発電を行う。ソーラーパネル６で発生した電力は二次電池８に蓄積される。
【００３５】
次に、本例の光源ランプ７は、フラッシュランプ１１と、３個の白色発光ダイオードランプ２１、２２、２３と、これらの発光を制御する発光制御回路（図３参照）とを備えている。図２（ｂ）および（ｃ）から分かるように、フラッシュランプ１１はほぼ誘導灯１の幅方向の中央に配置されており、フラッシュランプ１１の右側に１個の白色発光ダイオードランプ２１が配置され、フラッシュランプ１１の左側に２個の白色発光ダイオードランプ２２、２３が配置されている。これらは同一高さ位置に配列されている。
【００３６】
フラッシュランプ１１は、気体放電電球１２と、リフレクタ１３と、電球１２の前面に配置されている前面カバー１４とを備えている（図２（ｂ）参照）。本例では、リフレクタ１３の反射面形状を適切に設定することにより、射出光の上下方向の発散角を所定角度以下となるようにして、射出光の上下方向の指向性を高めている。また、前面カバー１４には５００ｎｍ以下の可視光成分をカットするフィルタ１４ａが貼り付けられている。この代わりに同一の光学特性を備えたフィルタ層を前面カバー１４の表面あるいは裏面にコーティングしてもよい。この結果、フラッシュンランプ１１からの射出光は白色光ではなく、淡黄色、黄色あるいは淡いオレンジ色になる。
【００３７】
次に、図２（ｃ）に示すように、フラッシュランプ１１の右側に配置されている白色発光ダイオードランプ２１は、誘導灯前方に延びているフラッシュランプ１１の主光軸１１ａに対して右側に３０度傾斜した方向が射出光の光軸２１ａとなるように配置されている。また、本例の白色発光ダイオードランプ２１は発散角度が一般的なものよりも狭い３０度以下、例えば２０度の狭角発光ダイオードを用いている。さらに、白色発光ダイオードランプ２１のランプレンズ２１ｂには５００ｎｍ以下の可視光成分をカットする光学特性を備えたコーティングが形成されている。
【００３８】
フラッシュランプ１１の左側に配置されている白色発光ダイオードランプ２２は、誘導灯前方に向かう方向が射出光の光軸２２ａとなるように配置されている。これに対して、このランプ２２の左側に配置されている白色発光ダイオードランプ２３は、ランプ２２の光軸２２ａに対して左側に３０度傾斜した方向が射出光の光軸２３ａとなるように配置されている。これらの白色発光ダイオードランプ２２、２３も狭角発光ダイオードである。
【００３９】
図３は本例の誘導灯１の制御基板９に作り込まれている制御回路を示す概略ブロック図である。制御回路４０は、照度検出部４１と、スイッチング回路４２と、発光制御回路４３を備えている。照度検出部４１は、誘導灯１が設置されている場所の照度を検出するためのものであり、受光センサ４４および検出回路４５を備えている。検出回路４５では、受光センサ４４から得られる受光量を予め定めた基準受光量と比較し、基準受光量よりも検出された受光量が下回った場合、換言すると、照度が所定の照度レベルを下回った場合に、スイッチング信号をスイッチング回路４２に出力する。このスイッチング信号を受信すると、通常はオフ状態に保持されているスイッチング回路４２がオンに切り替わる。例えば、４０ルックス以下になるとスイッチング回路４２がオンに切り替わる。受光センサ４４としては、受光センサ機能を果たす「受光センサ」および「ソーラ素子の電圧降下を利用したソーラ蓄電プラス発光センサ」がある。
【００４０】
本例では電池電源としてソーラーパネル（太陽電池）６と、このソーラーパネル６によって充電される二次電池８とを備えている。前述のようにソーラーパネル６は照明灯や広告灯などの光を受光し、発生した起電力が二次電池８に蓄えられる。この二次電池８から照度検出部４１、スイッチング回路４２および光源ランプ７（フラッシュランプ１１、白色発光ダイオード２１、２２、２３）に電力が供給される。
【００４１】
スイッチング回路４３がオフの状態では給電回路が遮断されているので、光源ランプ７は発光しない。誘導灯設置場所の照度が４０ルックス以下に低下すると、スイッチング回路４２がオンに切り替わり、給電回路が形成されて、発光制御回路４３の制御の下に、光源ランプ７が発光する。
【００４２】
図４は、フラッシュランプ１１および３個の白色発光ダイオード２１、２２、２３の発光状態を示すタイミングチャートである。図４（ａ）に示すように、フラッシュランプ１１は一定の間隔Ｔ１で０．１〜０．２ｍｓの短い閃光Ｌ（１１）を発生する（ストロボ発光する）。これに対して、図４（ｂ）に示すように、３個の白色発光ダイオードランプ２１、２２、２３は、フラッシュランプ１１と交互に発光するように制御されている。本例の白色発光ダイオード２１〜２３は、オンオフのデューティ比が５０％で、ストロボ発光と同一の周期Ｔ１でオンオフ制御される。このようなフラッシュランプ１１、白色発光ダイオードランプ２１、２２、２３の発光制御が発光制御回路４３によって行われる。
【００４３】
次に、図５は上記構成の誘導灯１を地下街、地下道、トンネルなどの閉鎖空間における壁面に取り付けることにより構成した避難誘導システムを示す説明図である。図５（ａ）に示すように、誘導灯１が壁面Ｗにおける人の背丈以下の高さ位置Ｈに設置されている。一般には２ｍ以下、例えば１．５ｍ程度の高さ位置に設置すればよい。また、誘導灯１のフラッシュランプ１１のリフレクタ１２の形状を適切に設定することにより、その主光軸１１ａが水平よりも僅かに下方に傾斜する方向となるようにしてある。さらには、前述のように、垂直方向の発散角を一般的なフラッシュランプに比べて狭くなるように設定されている。換言すると、上下方向の指向性を高めてある。これに対して、図５（ｂ）に示すように、水平方向の発散角は一般的なフラッシュランプと同程度とされている。
【００４４】
このように誘導灯１が設置されている避難誘導灯システムにおいて、通常時においては、誘導灯１はオフ状態にあり、照明灯や広告灯などに光が照射されているソーラーパネル６の起電力が二次電池８に蓄積される。また、カバー３の上面は４５度以上の急な傾斜角度の傾斜前板部分３５によって規定されているので、カバー上面に埃などが堆積しにくい。よって、堆積した異物によって内部のソーラーパネル６に光が届かなくなり、発電作用が阻害される惧れも少ない。
【００４５】
次に、火災などが発生して煙が充満して照度が落ちると、誘導灯１の照度検出部４１によってそれが検出され、スイッチング回路４２がオンに切り替わり、二次電池８から発光制御回路４３および発光ランプ７への給電が開始される。発光制御回路４３によって、発光ランプ７のフラッシュランプ１１が一定の間隔、例えば２秒間隔でストロボ発光する。これに対して、３個の白色発光ダイオード２１〜２３は、ストロボ発光の間の期間においてオンとなるようにオンオフ制御される（図４参照）。
【００４６】
フラッシュランプ１１は高輝度のストロボ発光を繰り返すので視認性が良い。また、フラッシュランプ１１が消えている期間は、補助光源としての３個の発光ダイオードランプ２１〜２３が発光する。よって、煙が充満した場合などにおいても、誘導灯１の視認性が極めて良好である。また、このように交互に発光させることにより、常時発光させる場合に比べて省電力化を実現できる。よって、本例のように電池電源を備えている場合には極めて有利である。
【００４７】
また、前述のように、フラッシュランプ１１の前面カバー１４にはフィルタ１４ａが貼り付けられており、５００ｎｍ以下の可視光成分がカットされ、淡黄色、黄色あるいはオレンジ色の光が射出される。補助光源として３個のダイオードは白色発光ダイオードにすることにより煙の中での透過性が上がる。フラッシュランプとの組み合わせによる交互発光により、低輝度ながら色付きでなくても視認性に優れ避難者に誘導灯を直ちに認識させることができる。よって、低輝度でありながら視認性に優れた誘導灯を実現できる。
【００４８】
特に、火災などにより煙が充満した状況において、誘導灯以外の照明灯や広告灯などが点灯している場合には、これらの光も、煙に乱反射して白色に見えるので、誘導灯がいずれであるのかを区別することが困難になる。しかし、本例では、可視光成分のうち波長の短い側の帯域成分をカットした光を誘導灯１から発光させているので、淡い色付きの光を射出でき、他の光源と区別することが容易である。よって、避難口など安全な場所への避難を迅速に行うことができる。
【００４９】
さらに、本例では、図５（ａ）に示すように、人Ｐの背丈よりも低い高さ位置に誘導灯１を設置してあり、しかも、フラッシュランプ１１からの射出光（ストロボ発光）Ｌ（１１）を僅かに下方向に向かうように指向性を持たせてある。従って、誘導灯１の光が、避難する人Ｐの視野に入り易い。また、図５（ｂ）に示すように、左右の発光ダイオードランプ２１、２３は左右の３０度の方向に向いており、左右方向から認識可能な角度範囲が広い。このように、本例では、誘導灯１が上下および左右から認識し易い状態となっているので、避難を迅速に行うことができる。
【００５０】
なお、左右から視認可能な角度範囲を更に広げるためには、フラッシュランプ１１の両側に２個以上の発光ダイオードランプを配置し、これらの光軸の方向を左右に振ればよい。例えば、図６に示すように、５個の発光ダイオードランプ２１〜２５を配置する。これらのうち、右側の発光ダイオードランプ２１の光軸２１ａの方向をフラッシュランプ１１の主光軸１１ａに対して例えば３０度傾斜した方向とし、右端の発光ダイオードランプ２４の光軸２４ａの方向をさらに右側に例えば３０度傾斜した方向とする。逆に、左側の発光ダイオードランプ２３の光軸２３ａの方向を主光軸１１ａに対して３０度左に傾斜した方向とし、左端の発光ダイオードランプ２５の光軸２５ａの方向を更に左に３０度傾斜した方向とする。
【００５１】
次に、図７に示すように、避難口５０までの距離が長い場合には、避難口５０に通ずる壁面Ｗに沿って、一定の間隔で複数個の誘導灯１を設置すればよい。
【００５２】
（その他の実施の形態）
なお、誘導灯１の電池電源としては、図８、９、１０の構成のものを採用することもできる。図８では、電池電源として一次電池６１のみを備えている。一次電池６１から照度検出部４１に対しては常に給電されている。しかるに、光源ランプ７に対しては、スイッチング回路４２がオンに切り替わった場合にのみ一次電池８から電力が供給されるようになっている。
【００５３】
図９に示す電池電源は、ランプ駆動用の一次電池６２と、照度検出部４１およびスイッチング回路４２を駆動するための太陽電池６３とを備えている。一次電池６２はランプ駆動にのみ消費されるので、当該一次電池の交換周期を長くできる。
【００５４】
図１０に示す電池電源は、ランプ駆動用の一次電池６４を備えていると共に、照度検出部４１およびスイッチング回路４２を駆動するための太陽電池６５および二次電池６６とを備えている。太陽電池６５の太陽光受光面は太陽光あるいは照明灯や広告灯などの光を受光可能な場所に設置され、そこで発生する起電力が二次電池６６に蓄えられ、この二次電池６６から照度検出部４１およびスイッチング回路４２に電力が供給される。
【００５５】
【発明の効果】
以上説明したように、本発明の誘導灯は、光源ランプからの射出光から短波長側の可視光成分を除去した残りの可視光成分を放出するようにしている。この結果、煙が充満している場合においての視認性が良く、他の照明光や広告灯の光と区別可能な誘導灯を実現できる。
【００５６】
また、本発明の誘導灯は光源ランプとしてフラッシュランプを用いている。フラッシュランプは他の光源とは異なり、所定間隔でストロボ発光するので、他の光源から容易に区別できる。また、遠くからの視認性も高いとう利点がある。
【００５７】
さらに、本発明の誘導灯の光源ランプは、フラッシュランプと白色発光ダイオードランプの組み合わせからなっている。フラッシュランプは所定間隔で高輝度の閃光を発生し、白色発光ダイオードランプはフラッシュランプが消えている間の期間において誘導灯の位置を表示できる。よって、全体として、高輝度で視認性に優れた誘導灯を実現できる。また、光源ランプを常時発光させる場合に比べて、省電力化を図ることができるので、電池電源を備えている場合に特に有効である。
【００５８】
また、本発明の誘導灯は、フラッシュランプの射出光における所定方向の発散角を所定角度以下にしている。同様に、前記発光ダイオードランプの射出光の発散角を３０度以下にしている。このように射出光の指向性を高めることにより視認性を改善できる。
【００５９】
一方、本発明では、誘導灯を壁面における人の背丈以下の高さ位置に設置してある。煙が充満した状況での避難時において、避難者による誘導灯の視認性を良好に保持できる。また、複数個の誘導灯を壁面に沿って一定間隔で設置しておくことにより、避難者を迅速に避難口に導くことができる。
【図面の簡単な説明】
【図１】本発明を適用した誘導灯を一部切り取った状態で示す斜視図である。
【図２】（ａ）は図１の誘導灯をカバーを取った状態で示す正面図、（ｂ）は図１の誘導灯の縦断面図、および（ｃ）は図１の誘導灯の主要部分を示す概略横断面図である。
【図３】図１の誘導灯の制御回路を示す概略ブロック図である。
【図４】図１の誘導灯の光源ランプの発光動作を示すタイミングチャートである。
【図５】図１の誘導灯を壁面に設置した状態を示す説明図であり、（ａ）は上下方向の視認性を示す説明図であり、（ｂ）は左右方向の視認性を示す説明図である。
【図６】図１の誘導灯の光源ランプの別の例を示す説明図である。
【図７】図１の誘導灯を壁面に沿って複数設置場合の例を示す説明図である。
【図８】図１の誘導灯の電力供給系の別の例を示す概略ブロック図である。
【図９】図１の誘導灯の電力供給系の別の例を示す概略ブロック図である。
【図１０】図１の誘導灯の電力供給系の別の例を示す概略ブロック図である。
【符号の説明】
１    誘導灯
２    取付板
３    カバー
４    光源ランプユニット
５    ユニットケース
６    ソーラーパネル
７    光源ランプ
８    二次電池
１１  フラッシュランプ
１１ａ  主光軸
１２  電球
１３  リフレクタ
１４  前面カバー
１４ａ  光学フィルタ
２１、２２、２３、２４、２５  白色発光ダイオードランプ
２１ａ〜２５ａ  光軸
２１ｂ〜２３ｂ  ランプレンズ
４１  照度検出部
４２  スイッチング回路
４３  発光制御回路
【図１】
2004303602.tif 000003
【図２】
2004303602.tif 000004
【図３】
2004303602.tif 000005
【図４】
2004303602.tif 000006
【図５】
2004303602.tif 000007
【図６】
2004303602.tif 000008
【図７】
2004303602.tif 000009
【図８】
2004303602.tif 000010
【図９】
2004303602.tif 000011
【図１０】
2004303602.tif 000012